(57)【要約】      （修正有）【課題】ベースがコンピュータ内部に固定され、コンピュータ内部の必要な装置が回転フレーム上に固着されて、迅速な着脱が行えるほか、コンピュータ内部空間の有効活用と有効な放熱を達成する。【解決手段】ベース１上に回動可能に設置される回転フレーム２、該回転フレーム上に設置される固定ユニット３であって該回転フレームを該ベースに固定させる中心軸３１、該中心軸に設けられた押止板３２、該押止板に設けられて案内溝を貫通して該ベースに固着される位置決め部３３、及び押止板に設けられて該回転フレームと固着される弾性部を具えた該固定ユニット、及び該回転フレームと該固定ユニットの間に設けられる押圧ユニット４を包含する。【選択図】図１
0003135196.tif 000002
【実用新案登録請求の範囲】
【請求項１】
コンピュータ内部の回転サポートフレーム装置において、
ベースと、
回転フレームであって、該ベースの一面に回動可能に設置され、少なくとも二つの相互に対応する案内溝を具えた、上記回転フレームと、
固定ユニットであって、該回転フレームを貫通して該ベースに固定される中心軸と、該中心軸に組み合わされる押止板と、該押止板に設けられて該案内溝を貫通して該ベースと固着される位置決め部と、該押止板に設けられて該回転フレームと固着される弾性部とを少なくとも具えた、上記固定ユニットと、
押圧ユニットであって、上述の回転フレームと上述の固定ユニットの間に設けられる、上記押圧ユニットと、
を包含したことを特徴とする、コンピュータ内部の回転サポートフレーム装置。
【請求項２】
請求項１記載のコンピュータ内部の回転サポートフレーム装置において、該ベースが、固定部材と組み合わされてコンピュータ設備との接続に供される複数の穿孔、固定部材と組み合わされて該回転フレームとの接続に供される複数の固定孔、該中心軸と該位置決め部に接続される複数の位置決め孔、及び適宜部分に設けられた複数の方形孔を具えたことを特徴とする、コンピュータ内部の回転サポートフレーム装置。
【請求項３】
請求項１記載のコンピュータ内部の回転サポートフレーム装置において、該回転フレームが複数の支持部を具え、そのうち二つの支持部に固定板が取り付けられることを特徴とする、コンピュータ内部の回転サポートフレーム装置。
【請求項４】
請求項１記載のコンピュータ内部の回転サポートフレーム装置において、該回転フレームが該ベースと対応し接触する複数の弾性片を具備することを特徴とする、コンピュータ内部の回転サポートフレーム装置。
【請求項５】
請求項１記載のコンピュータ内部の回転サポートフレーム装置において、該回転フレームの周縁に固定部材と組み合わされて該ベースと固着される複数の翼片を具備したことを特徴とする、コンピュータ内部の回転サポートフレーム装置。
【請求項６】
請求項１記載のコンピュータ内部の回転サポートフレーム装置において、該押止板が該中心軸、該位置決め部及び該弾性部の挿通に供される複数の貫通孔を具備したことを特徴とする、コンピュータ内部の回転サポートフレーム装置。
【請求項７】
請求項１記載のコンピュータ内部の回転サポートフレーム装置において、該弾性部が該回転フレームに固着される軸体と、該軸体に嵌合され且つ一端が押止板上を押止する弾性部材で構成されたことを特徴とする、コンピュータ内部の回転サポートフレーム装置。
【請求項８】
請求項１記載のコンピュータ内部の回転サポートフレーム装置において、該押圧ユニットが板体と、該板体の一端が折り曲げられてなる押動部と、該板体の適宜部分に設置された突出部と、該板体と該突出部に連通するスライド溝と、を具備したことを特徴とする、コンピュータ内部の回転サポートフレーム装置。
【考案の詳細な説明】
【技術分野】
【０００１】
本考案は一種のコンピュータ内部の回転サポートフレーム装置に係り、特に、コンピュータ内部の必要な装置を迅速に取り付け、取り外せるほか、コンピュータ内部空間の有効活用と有効な放熱の機能を同時に達成する、コンピュータ内部の回転サポートフレーム装置に関する。
【背景技術】
【０００２】
一般に伝統的なコンピュータは通常、電源供給装置がコンピュータ内部上方の後端部分に設置され、ハードディスク、ＤＶＤ及びフレキシブルディスクドライブはコンピュータ内部の前端部分に重ね置かれ、マザーボードはコンピュータ内部の一側に設置され、且つ該マザーボード上の各ソケットコネクタはケース後端面に対応する。
【０００３】
伝統的なコンピュータは、上述の関係空間位置に、電源供給装置、ハードディスク、ＤＶＤ及びフレキシブルディスクドライブ、マザーボード及び各コネクタが固定配置され、コンピュータ内部空間は有限であり、上述の装置が相互に妥当に配置された後、該電源供給装置、及び相互に重ねられたハードディスク、ＤＶＤ及びフレキシブルディスクドライブの距離が接近し、さらに該マザーボードは電源供給装置の一側に近接する。これによりコンピュータ内部の上方空間が混み合う状況が形成されやすく、さらに、マザーボード及び電源供給装置上方のファンが動作して熱気を導出して放熱を行うとき、電源供給装置、ハードディスク、ＤＶＤ及びフレキシブルディスクドライブ、マザーボードの設置の位置が相互に近接するため、熱流が有効に導出されず、放熱効果不良がもたらされる。
【考案の開示】
【考案が解決しようとする課題】
【０００４】
本願の主要な目的は、上述の欠点を排除し、欠点が存在しないようにすることにあり、そのため、ベースをコンピュータ内部に固着し、コンピュータ内部の必要な装置を回転フレーム上に固着し、迅速な取り付け取り外しを可能とするほか、コンピュータ内部空間の効率的な運用と有効な放熱の効果を達成できるようにする。
【課題を解決するための手段】
【０００５】
請求項１の考案は、コンピュータ内部の回転サポートフレーム装置において、
ベースと、
回転フレームであって、該ベースの一面に回動可能に設置され、少なくとも二つの相互に対応する案内溝を具えた、上記回転フレームと、
固定ユニットであって、該回転フレームを貫通して該ベースに固定される中心軸と、該中心軸に組み合わされる押止板と、該押止板に設けられて該案内溝を貫通して該ベースと固着される位置決め部と、該押止板に設けられて該回転フレームと固着される弾性部とを少なくとも具えた、上記固定ユニットと、
押圧ユニットであって、上述の回転フレームと上述の固定ユニットの間に設けられる、上記押圧ユニットと、
を包含したことを特徴とする、コンピュータ内部の回転サポートフレーム装置としている。
請求項２の考案は、請求項１記載のコンピュータ内部の回転サポートフレーム装置において、該ベースが、固定部材と組み合わされてコンピュータ設備との接続に供される複数の穿孔、固定部材と組み合わされて該回転フレームとの接続に供される複数の固定孔、該中心軸と該位置決め部に接続される複数の位置決め孔、及び適宜部分に設けられた複数の方形孔を具えたことを特徴とする、コンピュータ内部の回転サポートフレーム装置としている。
請求項３の考案は、請求項１記載のコンピュータ内部の回転サポートフレーム装置において、該回転フレームが複数の支持部を具え、そのうち二つの支持部に固定板が取り付けられることを特徴とする、コンピュータ内部の回転サポートフレーム装置としている。
請求項４の考案は、請求項１記載のコンピュータ内部の回転サポートフレーム装置において、該回転フレームが該ベースと対応し接触する複数の弾性片を具備することを特徴とする、コンピュータ内部の回転サポートフレーム装置としている。
請求項５の考案は、請求項１記載のコンピュータ内部の回転サポートフレーム装置において、該回転フレームの周縁に固定部材と組み合わされて該ベースと固着される複数の翼片を具備したことを特徴とする、コンピュータ内部の回転サポートフレーム装置としている。
請求項６の考案は、請求項１記載のコンピュータ内部の回転サポートフレーム装置において、該押止板が該中心軸、該位置決め部及び該弾性部の挿通に供される複数の貫通孔を具備したことを特徴とする、コンピュータ内部の回転サポートフレーム装置としている。
請求項７の考案は、請求項１記載のコンピュータ内部の回転サポートフレーム装置において、該弾性部が該回転フレームに固着される軸体と、該軸体に嵌合され且つ一端が押止板上を押止する弾性部材で構成されたことを特徴とする、コンピュータ内部の回転サポートフレーム装置としている。
請求項８の考案は、請求項１記載のコンピュータ内部の回転サポートフレーム装置において、該押圧ユニットが板体と、該板体の一端が折り曲げられてなる押動部と、該板体の適宜部分に設置された突出部と、該板体と該突出部に連通するスライド溝と、を具備したことを特徴とする、コンピュータ内部の回転サポートフレーム装置としている。
【考案の効果】
【０００６】
本考案のコンピュータ内部の回転サポートフレーム装置は周知の技術の各種の欠点を有効に改善し、ベースをコンピュータ内部に固定し、コンピュータ内部の必要な装置を回転フレームに固定し、迅速に取り付け取り外しができるようにするほか、コンピュータ内部空間の有効な活用と効率的な放熱の効果を達成できる。これにより本考案は進歩性を有し、実用的で使用者の実際の必要に符合し、確実に実用新案登録の要件を具備するものである。
【考案を実施するための最良の形態】
【０００７】
上述の目的を達成するため、本考案は一種のコンピュータ内部の回転サポートフレーム装置を提供し、それは、ベース、該ベース上に回動可能に設置される回転フレーム、該回転フレーム上に設置される固定ユニットであって該回転フレームを該ベースに固定させる中心軸、該中心軸に設けられた押止板、該押止板に設けられて該案内溝を貫通して該ベースに固着される位置決め部、及び押止板に設けられて該回転フレームと固着される弾性部を具えた該固定ユニット、及び該回転フレームと該固定ユニットの間に設けられる押圧ユニットを包含するものとする。本考案のコンピュータ内部の回転サポートフレーム装置は、そのベースがコンピュータ内部に固定され、コンピュータ内部の必要な装置が本考案の回転フレーム上に固着されて、迅速な着脱が行えるほか、コンピュータ内部空間の有効活用と有効な放熱を達成する。
【実施例１】
【０００８】
図１、２を参照されたい。図１は本考案の斜視図、図２は本考案の立体分解図である。図示されるように、本考案は一種のコンピュータ内部の回転サポートフレーム装置であって、それは、ベース１、回転フレーム２、固定ユニット３、及び押圧ユニット４で構成される。該ベース１はコンピュータ内部に固着され、コンピュータ内部の必要な装置は回転フレーム２上に固着され、迅速な取り付け取り外しが可能であるほか、コンピュータ内部空間の有効な運用と有効な放熱の効果が達成される。
【０００９】
上述のベース１は複数の穿孔１１、複数の固定孔１２、複数の位置決め孔１３、及び適宜位置に設けられた複数の方形孔１４を有する。
【００１０】
該回転フレーム２は上述のベース１の一面に回動自在に設けられ、該回転フレーム２には少なくとも二つの相互に対応する案内溝２１が設けられ、且つ該回転フレーム２には複数の支持部２２が設けられ、且つそのうち二つの支持部２２に固定板２３が取り付けられ、並びに該回転フレーム２に該ベース１に設けられた方形孔１４に対応し取り付けられる弾性片２４が設けられ、また、該回転フレーム２の周縁にベース１の固定孔１２に対応し且つ孔２５１を具えた翼片２５が設けられている。
【００１１】
該固定ユニット３は回転フレーム２を貫通してベース１に固定される中心軸３１、該中心軸３１に組み合わされる押止板３２、押止板３２上に設けられ且つ案内溝２１を貫通してベース１に固着される位置決め部３３、及び押止板３２上に設けられ且つ回転フレーム２に固着される弾性部３４を具え、そのうち、該中心軸３１及び位置決め部３３は上述のベース１の位置決め孔１３に対応し接続され、且つ該押止板３２は中心軸３１、位置決め部３３及び弾性部３４の挿通に供される複数の貫通孔３２１、３２２、３２３を具え、該弾性部３４は回転フレーム２に固着される軸体３４１、及び該軸体３４１に嵌合され且つ一端が押止板３２上を押圧する弾性部材３４２で構成される。
【００１２】
該押圧ユニット４は上述の回転フレーム２と固定ユニット３の間に設けられ、該押圧ユニット４は板体４１、該板体４１の一端が折り曲げられてなる押動部４２、該板体４１の適宜部分に設置された突出部４３、及び板体４１と突出部４３に連通するよう設けられたスライド溝４４を具備する。こうして、上述の構造が組み合わされて新規なコンピュータ内部の回転サポートフレーム装置が構成される。
【００１３】
図３、４、５及び図６を参照されたい。これらはそれぞれ、本考案とコンピュータ設備の結合状態表示図、本考案とハードディスク或いは電源供給装置の組み合わせ状態表示図、本考案とハードディスクがコンピュータ内部に取り付けられた後の実施表示図及び本考案と電源供給装置がコンピュータ内部に取り付けられた後の別の実施表示図である。図示されるように、本考案の実施時には、ベース１の穿孔１１に固定部材２６が組み合わされてコンピュータ設備５内の底部に固着され、その後、さらにコンピュータ設備５内部の必要な装置、例えばハードディスク５１或いは電源供給装置５２が回転フレーム２上に設置される。設置プロセスを実行する時には、押圧ユニット４の押動部４２を外向きに引き出し、該押圧ユニット４の板体４１を中心軸３１に組み合わされるスライド溝４４を利用して外向きに移動させ、並びに板体４１の突出部４３を協動させて、該突出部４３に固定ユニット３の押止板３２を上向きに押し上げさせ、該押止板３２の貫通孔３２２と位置決め部３３を離脱させ、且つ同時に弾性部３４の弾性手段３４２を圧縮させて、該回転フレーム２を活動状態となす。こうして、回転フレーム２を案内溝２１に位置決め部３３及び中心軸３１を組み合わせることでベース１上で回動可能とする。回転フレーム２を所定の角度回転させた時、該回転フレーム２の弾性片２４がベース１の方形孔１４内に対応し位置制限し、これにより回転フレーム２が回転停止し暫時位置決めされる。その後、さらに必要により、ハードディスク５１或いは電源供給装置５２を回転フレーム２上に設置する。設置プロセス実行時には、直接固定部材５３を組み合わせてハードディスク５１或いは電源供給装置５２のフレーム５１１、５２１を支持部２２にネジ止めするか、或いは設置時の必要により、そのうち二つの支持部２２上に固定板２３を設置した後、さらにハードディスク５１或いは電源供給装置５２のフレーム５１１、５２１をネジ止する。ハードディスク５１或いは電源供給装置５２の設置が完成した後、回転フレーム２を反対方向にもとの位置まで回転させ、これにより回転時に方形孔１４内より離脱した弾性片２４を再度対応させて位置制限し、並びに押圧ユニット４の押動部４２を内向きに押動し、これにより該押圧ユニット４の板体４１を中心軸３１に組み合わされたスライド溝４４を利用して内向きに移動させ、並びに板体４１の突出部４３を協動させて、突出部４３を固定ユニット３の押止板３２より分離させ、弾性部３４の圧縮されていた弾性部材３４２を釈放して回復させ、これにより押止板３２の貫通孔３２２と位置決め部３３を接合せしめる。このとき、該回転フレーム２はロック状態を呈し、回転フレーム２の周縁に設けられた翼板２５の孔２５１とベース１の固定孔１２が相互に対応する。こうして、複数の固定部材２６が翼板２５の孔２５１とベース１の固定孔１２内にネジ止めされ、回転フレーム２がベース１に固定され、これによりハードディスク５１或いは電源供給装置５２のコンピュータ内部への取り付けが完成する。こうして、コンピュータ設備５内部上方の空間が増加し、並びにその他の装置の増設が可能となり、且つ熱気の導出に有利で効果的な放熱に役立つ。また、取り外したいときは、固定手段２６を取り外した後、前述の動作により押圧ユニット４を引き動かし、固定ユニット３を取り外し、回転フレーム２を回転させてハードディスク５１或いは電源供給装置５２の取り外し、交換の動作を行う。
【００１４】
また、ハードディスク５１或いは電源供給装置５２を取り付けたとき、ファン５４をハードディスク５１或いは電源供給装置５２に取り付けることができ、回転フレーム２の位置を固定した後に、該ファン５４がコンピュータ設備５の一面と対応するようにして熱気を導出させ、ハードディスク５１或いは電源供給装置５２に有効な放熱を提供する。
【図面の簡単な説明】
【００１５】
【図１】本考案の斜視図である。
【図２】本考案の立体分解図である。
【図３】本考案とコンピュータ設備の結合状態表示図である。
【図４】本考案とハードディスク或いは電源供給装置の組み合わせ状態表示図である。
【図５】本考案とハードディスクがコンピュータ内部に取り付けられた後の実施表示
【図６】本考案と電源供給装置がコンピュータ内部に取り付けられた後の別の実施表示図である。
【符号の説明】
【００１６】
１  ベース          １１  穿孔
１２  固定孔        １３  位置決め孔
１４  方形孔        ２  回転フレーム
２１  案内溝        ２２  支持部
２３  固定板        ２４  弾性片
２５  翼片          ２５１  孔
２６  固定部材      ３  固定ユニット
３１  中心軸        ３２  押止板
３２１、３２２、３２３  貫通孔
３３  位置決め部    ３４  弾性部
３４１  軸体        ３４２  弾性手段
４  押圧ユニット    ４１  板体
４２  押動部        ４３  突出部
４４  スライド溝    ５  コンピュータ設備
５１  ハードディスク  ５１１、５２１  フレーム
５２  電源供給装置    ５３  固定手段
５４  ファン
【図１】
0003135196.tif 000003
【図２】
0003135196.tif 000004
【図３】
0003135196.tif 000005
【図４】
0003135196.tif 000006
【図５】
0003135196.tif 000007
【図６】
0003135196.tif 000008